(57)【要約】【課題】  障子に障子開放補助装置を取り付ける際に、その外力からサッシ枠を保護するための開放補助装置受金具を提供すること及びこの開放補助装置受金具を取り付けたサッシ枠を提供すること。【解決手段】  開放補助装置受金具１０は、外障子３のたて框３０の室内見付面に面付けされている障子開放補助装置１１からの外力を受けるもので、外障子３のたて框３０の端部に対向し、且つ、サッシ枠４のたて枠４５の見込側に設けられるヒレ４８Ａの見込面４８ａをカバーする見込カバー面１０ａと、そのヒレ４８Ａの見付面４８ｂをカバーする見付カバー面１０ｂと、障子開放補助装置１１からの外力を受ける外力受面１０ｃを備えており、略長方体状に成形されている。【選択図】        図１
2010077635.tif 000002
【特許請求の範囲】
【請求項１】
障子のたて框の室内見付面に面付けされた障子開放補助装置からの外力を受ける障子開放補助装置受金具であって、
前記障子のたて框端部に対向し、且つ、サッシ枠のたて枠の見込側に設けられるヒレの見込面をカバーする見込カバー面と、そのヒレの見付面をカバーする見付カバー面と、前記障子開放補助装置からの外力を受ける外力受面を備えたことを特徴とする障子開放補助装置受金具。
【請求項２】
前記見込カバー面と前記外力受面は表裏の関係にあることを特徴とする請求項１に記載の障子開放補助装置受金具。
【請求項３】
障子のたて框の室内見付面に面付けされた障子開放補助装置と、
前記障子のたて框端部に対向し、且つ、サッシ枠のたて枠の見込側に設けられるヒレの見込面をカバーする見込カバー面と、そのヒレの見付面をカバーする見付カバー面と、前記障子開放補助装置からの外力を受ける外力受面からなる障子開放補助装置受金具と、
前記サッシ枠と障子たて框端部間に遮蔽体を収納したことを特徴とするサッシ窓。
【発明の詳細な説明】
【技術分野】
【０００１】
本発明は、障子を開く際に、障子の初動を軽くするために使用者を補助する障子開放補助装置、この外力を受ける障子開放補助装置受金具及びこれらを備えたサッシ窓に関する。
【背景技術】
【０００２】
ハイサッシやペアガラスが納められた障子等、重量がある障子を開けるには、その初動に大きな力が必要になり、そのため障子開放補助装置が取り付けられている。
例えば特許文献１では、障子開放補助装置として横方向に回動可能に軸支されたレバー部材と、このレバー部材の回動により枠側の縦枠側に突出して障子を開方向に押し出す突出部とを有してなるアシスト把手が記載されている。
このアシスト把手では、その突出部が、縦枠の内側面に突設されたリブの先端部に当接してこれを押圧する反力により外障子が右方向の開方向へ押し動かされ、障子を容易に開くことができるとされている。
【特許文献１】特開平２００６−９７２４８
【発明の開示】
【発明が解決しようとする課題】
【０００３】
しかし、このアシスト把手では、その突出部の押圧力によりリブが変形してしまうおそれがある。
このリブには、サッシ枠の気密性を保つための気密材が配置されており、リブが変形した場合には、サッシ枠の気密性が害されてしまう。
そこで、本願発明は、障子に障子開放補助装置を取り付ける際に、その外力からサッシ枠を保護するための開放補助装置受金具と、この開放補助装置受金具を取り付けたサッシ枠等を提供することを目的とする。
【課題を解決するための手段】
【０００４】
上記課題を解決するため、本願発明は、障子のたて框の室内見付面に面付けされた障子開放補助装置からの外力を受ける障子開放補助装置受金具であって、前記障子のたて框端部に対向し、且つ、サッシ枠のたて枠の見込側に設けられるヒレの見込面をカバーする見込カバー面と、そのヒレの見付面をカバーする見付カバー面と、前記障子開放補助装置からの外力を受ける外力受面を備えたことを特徴とする障子開放補助装置受金具とした（請求項１の発明）。
【０００５】
この発明によれば、障子開放補助装置受金具の見込カバー面と見付カバー面により、サッシ枠のたて枠のヒレが保護されるので、外力受面を介して見込カバー面に加えられる外力に対して、サッシ枠のヒレの変形を防ぐことができる。
【０００６】
上記発明において、前記障子開放補助装置受金具の見付カバー面の見付幅は、障子の種類によって設定されるものである。
サッシ枠のたて枠の前記ヒレは、障子のたて框の形態、障子に配置される遮蔽体等によって、その長短が変化するものである。よって、見付カバー面の見付幅を障子の種類によって変化させることで、各種の障子に対応させることができる。
【０００７】
上記発明において、前記見込カバー面と外力受面は表裏の関係にあることを特徴とする障子開放補助装置受金具とした（請求項２の発明）。
前記見込カバー面は、外力により変形し易いヒレの自由端をカバーするもので、前記見込カバー面と外力受面とが表裏の関係にあることで、外力受面を介して見込カバー面に加えられる外力からヒレを保護することができる。
【０００８】
上記課題を解決するため、障子のたて框の室内見付面に面付けされた障子開放補助装置と、前記障子のたて框端部に対向し、且つ、サッシ枠のたて枠の見込側に設けられるヒレの見込面をカバーする見込カバー面と、そのヒレの見付面をカバーする見付カバー面と、前記障子開放補助装置からの外力を受ける外力受面からなる障子開放補助装置受金具と、前記サッシ枠と障子たて框端部間に遮蔽体を収納したことを特徴とするサッシ窓とした（請求項３の発明）。
遮蔽体として、例えば網戸やロールスクリーンを収納した障子を備えたサッシ窓において、そのサッシ枠のヒレを保護することができる最適な障子開放補助装置受金具を提供することができる。
【発明の効果】
【０００９】
本発明によれば、障子に障子開放補助装置を取り付ける際に、その外力からサッシ枠のヒレを保護するための開放補助装置受金具及びそれを取付けたサッシ窓を提供することができる。
【発明を実施するための最良の形態】
【００１０】
本発明に係る開放補助装置受金具の実施形態を図面に基いて説明する。
図１及び図２は、引違障子の内外障子を取付けたサッシ枠（以下、窓枠とも称する）に固定された実施形態に係る開放補助装置受金具の横断面図及び縦断面図、図３及び図４は図１に示した同金具のそれぞれ別角度からの斜視図、図５及び図６は図２に示した同金具のそれぞれ別角度からの斜視図である。
これらの各図及び後述の各図において、同一の構成は同一の符号を付して重複した説明を省略する。
【００１１】
図１、図３及び図４に示した前記開放補助装置受金具１０は、外障子３のたて框（以下、障子かまちとも称する）３０の室内見付面に面付けされている障子開放補助装置１１からの外力を受けるもので、外障子３のたて框３０の端部に対向し、且つ、サッシ枠４のたて枠４５の見込側に設けられるヒレ４８Ａの見込面４８ａをカバーする見込カバー面１０ａと、そのヒレ４８Ａの見付面４８ｂをカバーする見付カバー面１０ｂと、障子開放補助装置１１からの外力を受ける外力受面１０ｃを備えており、略長方体状に成形されている。
【００１２】
前記ヒレ（以下、気密材取付ヒレとも称する）４８Ａは、サッシ枠４に配置されている外障子３を閉じた場合に、サッシ枠４の室内外の気密・水密を図るために、障子３のたて框３０の端部とサッシ枠４との間に介在させる気密材（図１１を参照）を取り付けるものである。そのヒレ４８Ａは、前記見付面４８ｂと見込面４８ａとが交差する個所に気密材取付溝４８ｃを備え、サッシ枠４のたて枠４５と同様に鉛直方向に延在形成されている。
【００１３】
前記ヒレ４８Ａの見付面４８ｂの横方向の寸法は、次のように設定されている。
即ち、図１等に図示されているように網戸装置１の収納ケース５（詳細は後述）は、外障子３のたて框３０に対向する窓枠４の対向面４０に配置されているので、その網戸収納ケース５の収納分だけ、前記たて框３０がサッシ枠４の面内方向に入ることになる。従ってサッシ枠４の気密性を保持するための前記ヒレ４８Ａの見付面４８ｂが長くなるように設定される。
【００１４】
前記開放補助装置受金具１０の見込カバー面１０ａは、前記ヒレ４８Ａの見込面４８ａとなる自由端に当接可能となる面で、図３及び図４に図示するように、長方体の一稜に対応するように形成されている。
この見込カバー面１０ａの長さ寸法Ｌは、前記障子開放補助装置１１の押出部１１Ｄ（後述）の縦方向の幅に略等しくなっている。
【００１５】
前記見付カバー面１０ｂは、前記ヒレ４８Ａの自由端とその基端間の見付面４８ｂに当接可能となる面で、長方体の３稜及び中空状に形成された長方体を補強する補強部辺１０ｄに対応するように形成されている。なお、前記各稜の長さ寸法は、前記長さ寸法Ｌと略同一の寸法である。
上述のように、ヒレ４８Ａの見付面４８ｂはサッシ枠４に配置されている網戸収納ケース５の収納幅分、延長されているので、前記見付カバー面１０ｂも延長されて形成されている。
【００１６】
前記外力受面１０ｃは、前記障子開放補助装置１１の押出部１１Ｄに対面するもので、長方体の１面より形成されている。
この外力受面１０ｃの横幅Ｗは、前記押出部１１Ｄより幅広になっており、押出部１１Ｄからの力を確実に受けることができる。
なお、符号１０ｅは、前記開放補助装置受金具１０の固定用の塞ぎ穴である。
【００１７】
前記開放補助装置受金具１０は、長方体状に成形されているが、前記見込カバー面１０ａ、見付カバー面１０ｂ及び外力受面１０ｃを構成することができれば、どのような形態でもよい。例えば略Ｚ字状の各辺から前記見込カバー面１０ａ、見付カバー面１０ｂ及び外力受面１０ｃを形成した板体のものでもよい。
【００１８】
前記障子開放補助装置１１の押出部１１Ｄに対面する前記外力受面１０ｃの裏面側に前記見込カバー面１０ａが形成されており、両面は表裏の関係にある。
【００１９】
以上のように構成された前記開放補助装置受金具１０は、その各面１０ａと１０ｂが前記ヒレ４８Ａから０．２〜０．３ｍｍ程度の隙間を形成するように固定されるが、ヒレ４８Ａに当接するように固定してもよい。
【００２０】
図７に示したように、前記障子開放補助装置１１は、台座裏板（図示せず）と、これに取り付けられた補強台座１１Ａと、これをカバーする台座カバー１１Ｂと、このカバー１１Ｂに取り付けられたハンドル部１１Ｃと、このハンドル部１１Ｃの縦軸に回動自在に取付けられたハンドル１１ｃに連動する縦軸ロッド１１０と、この縦軸ロッド１１０の回動動作が伝達されるスライダー１１１と、このスライド１１１の一端を形成すると共に、ハンドル１１ｃの回動操作により台座カバー１１Ｂの開口１１ｂから出没される押出部１１Ｄにより構成されている。
かかる障子開放補助装置１１は、操作者が前記ハンドル１１ｃを操作できるスペースＳ（図１参照）を設けて、前記たて框３０の室内見付面に固定されている。
なお、障子開放補助装置は、横軸回転のものでもよいが、この実施形態のようにハンドル１１ｃが縦軸に回転可能に取り付けられている構成のほうが、装置自体を小さくすることができ、たて框３０の見付け寸法内に取り付けることができる。
【００２１】
引違障子の内障子２のたて框２０の室内見付面に面付けされている障子開放補助装置１１からの外力を受ける開放補助装置受金具１０も、図２、図５及び図６のように上記開放補助装置受金具１０と略同一に構成されており、詳細な説明は省略する。
【００２２】
以上のように構成された前記開放補助装置受金具１０では次のような作用効果を奏する。
１．  サッシ枠４のヒレ４８Ａが、開放補助装置受金具１０で保護されているので、前記障子開放補助装置１１の押出部１１Ｄが直接、ヒレ４８Ａに当ることはなく、そのヒレ４８Ａの変形を防止することができる。
２．  また、前記障子開放補助装置１１の押出部１１Ｄが直接ヒレ４８Ａに当る場合には、ヒレ４８Ａばかりでなく、押出部１１Ｄ自体が変形したり、その一部が摩耗する等の問題もあるが、開放補助装置受金具１０によって、押出部１１Ｄ自体の変形も防止することができる。
３．  サッシ枠４のヒレ４８Ａの変形を防止することができるので気密材が障子に適正に当接し、サッシ枠４の気密・水密の性能を保持することができる。
４．  開放補助装置受金具１０の外力受面１０ｃの横幅Ｗは、前記押出部１１Ｄより幅広になっており、押出部１１Ｄからの力を確実に受けることができる。
５．  また前記押出部１１Ｄの幅の約２／３がヒレ４８Ａの延長線上に位置せず、その約１／３がその延長線上に位置していることから、力のモーメントにより、前記押出部１１Ｄの力がたて枠４５の基部に効率よく伝わり、ヒレ４８Ａへの影響を小さくすることができる。
従って、網戸装置１を収納するために前記ヒレ４８Ａの見付面４８ｂが長めであっても、そのヒレ４８Ａを保護することができる前記開放補助装置受金具１０となっている。
６．  障子開放補助装置１１は障子２、３に面付けされているので、障子開放補助装置が障子に内蔵される内蔵型のように、その加工部からの漏気等を防ぐ必要がなく、加工数や部品数を少なくすることできる。
７．  また障子開放補助装置１１は障子２、３に面付けされているので、ポップナット等の使用で、その後付けが可能となっている。
８．  開放補助装置受金具１０の見付カバー面１０ｂは、障子の種類に応じて設定されるので、各種の障子に対応させることができる。
【００２３】
次に前記網戸装置１の実施形態を図面に基いて説明する。
図８〜図１０はそれぞれ網戸装置を取付けたテラスタイプ窓の正面図であって、図８は障子閉鎖状態の正面図、図９は外障子を開放した換気状態の正面図、図１０は内障子を開放した換気状態の正面図である。
図１１は図８に対応する横断面図、図１２は同縦断面図である。
図１３は図１２に示した上レールの虫除け材の拡大断面図、図１４は図１２に示した下レールの虫除け材の拡大断面図である。
【００２４】
前記網戸装置１は、図８〜図１１に示したようにテラスタイプの窓の内外障子２、３の各障子かまち２０、３０に対向する窓枠４の対向面４０に配置される網戸収納部としての網戸収納ケース５、５と、このケース５、５と前記各障子かまち２０、３０間に配置され、且つ、前記各障子かまち２０、３０の移動に追随する移動かまち６、６と、前記網戸収納ケース５、５に収納され、且つ、前記移動かまち６、６に先端側が取付けられた網目部材７と、図１２に示したように、前記網目部材７が開幕された場合に、その網目部材７の上下端７０、７１に対向しつつ、窓枠４の上下枠４３、４４間の隙間Ｇを塞ぐことができる虫除け材９を備えている。
なお、前記網戸装置１は、後述の図１７等に示したように、前記各障子かまち２０、３０に対し、前記移動かまち６、６を着脱自在に操作可能な網戸キャッチ８及び受け８Ａを設けて構成されている。
前記内外障子２、３及びこれらに配置されている各網戸装置１は略同一の構成であるので、主に外障子３の網戸装置１の構成例を説明する。
【００２５】
前記網戸収納ケース５は、図１２のように、ケースの上端５２が窓枠４の上枠４３に対向するように、下端５３が窓枠４の下枠４４に接する長尺状のものである。詳細図示は省略するが、ケース内に、基端が回転軸に取付けられその先端が前記移動かまち６に取付けられ、且つ閉幕される方向に常時付勢される網目部材７を収納している。かかる網目部材７は、前記移動かまち６をスライドさせることにより前記ケース５の出没口５０１から開幕及び閉幕可能になっている。
【００２６】
前記移動かまち６は、図１２のように、その上下端が前記網戸収納ケース５より若干短い長尺状のもので、図１１のように網目部材７の先端をプレート７２により折曲げて取付けることができる取付部６００を備え、上下レール４１、４２を走行可能に構成されている。
なお、前記移動かまち６が障子かまち３０に対向する框対向部６０２には、障子かまち３０側の網戸キャッチ８の鎌を受ける受け８Ａ（図１７参照）が複数箇所に設けられている。
そして、上記構成の移動かまち６と網戸収納ケース５とが当接する場合には、移動かまち６が前記網戸収納ケース５の出没口５０１を略塞ぐようになっている。
また、障子かまち３０の網戸キャッチ８と移動かまち６の受け８Ａが係合している場合には、移動かまち６が外障子３の開閉に追随して移動するようになっている。
【００２７】
前記虫除け材９は、網目部材７が開幕された場合に、その網目部材７の上下端７０、７１と窓枠４の上下枠４３、４４間に形成される隙間Ｇ（図１２等参照）を塞ぐことができるもので、上下枠４３、４４に沿って配置される長尺状の部材である。
この隙間Ｇは、網戸収納ケース５を窓枠４の対向面４０に取付けたり、取外す場合に必要な間隙である。
前記網目部材７の上端７０と窓枠４の上枠４３間の隙間Ｇを塞ぐ虫除け材９は、図１３に図示されているように、上枠４３の取付溝４３０に圧入される圧入部９０と、網目部材７の上端７０に向って下方に対向する下対向部９１からなり、この下対向部９１の先端は形状を安定させるために略円筒状に形成されている。
実施形態の虫除け材９はゴムまたは合成樹脂にて、且つ圧入部９０の硬度が高く、一方下対向部９１の硬度が低い２色成形により形成されているが、硬度が同じものでも防虫効果は変わらない。
【００２８】
前記虫除け材９の下対向部９１の先端と対向する前記網目部材７の上端７０間には隙間ｇが形成されているが、この隙間ｇは前記網目部材７の上端７０が下対向部９１の先端を擦らないようすると共に、前記移動かまち６の走行を円滑に行えるようにするもので、虫等の室内への侵入が困難な幅、例えば約１．５ｍｍとなっている。
【００２９】
前記虫除け材９は、上枠４３に沿って配置されているが、その具体的な位置は、開閉幕される前記網目部材７の上端７０の位置に対応させる。
この実施形態では、前記網目部材７の上端７０が前記上レール４１と気密材取付ヒレ４８間で開閉幕させるようしている。これは、室外側からの強い風圧（正圧）に対して、網目部材７の上端７０が前記上レール４１を乗り越えて捲れることを避けるためである。よって網目部材７の上端７０が前記上レール４１に捲れたまま開閉幕されることもなく、網目部材７の保護を図ることができる。一方、室内側からの風圧（負圧）に対して、網目部材７の上端７０は上レール４１の側面に当ることで柔軟に対応させることができる。
このような風圧対策と虫除け材９による防虫対策を両立させるため、虫除け材９も上レール４１と窓枠４の気密材取付ヒレ４８間に、前記網目部材７の上端７０と突合せつつ、略鉛直線上に配置されている。
【００３０】
なお、内障子２用の網目部材７の上端７０は、前記上レール４１の室内側面に近接され、一方、外障子３用の網目部材７の上端７０は、より気密材取付ヒレ４８に近づいて位置されている。
【００３１】
前記網目部材７の下端７１と窓枠４の下枠４４間の隙間Ｇを塞ぐ虫除け材９は、図１４に図示されているように、下枠４４の取付溝４３０に圧入される圧入部９０と、網目部材７の下端７１向って上方に対向する上対向部９２からなり、この上対向部９２の先端は略円筒状に形成され、その強度が補完されている。この他の構成及び効果は、前記虫除け材９の構成及び効果と同様である。
【００３２】
また図１５及び図１６に図示したように、虫除け材９の下対向部９１と上対向部９２をそれぞれ複数本にしてもよい。
この場合、風圧による前記網目部材７の上下端７０、７１の移動変位に、複数本の下対向部９１と上対向部９２が対処できるため、風圧対策と虫除け材９による防虫対策を効果的に両立させることができる。
なお、風圧対策と虫除け材９による防虫対策を効果的に両立させるため、虫除け材９と開閉幕される前記網目部材７の上下端７０、７１の位置を、図面上左右に移動させつつ、複数本の下対向部９１と上対向部９２の内、最も適切な下対向部９１と上対向部９２を選択して調整してもよい。
【００３３】
前記網戸キャッチ８は、図１７及び図１８に図示したように、内外の操作レバー８０、８１と、それらの脚部８００、８１０に固定されたキャッチ本体８２と、この本体８２に連結された連動プレート８３と、この連動プレート８３に固定された鎌８４と、連動プレート８３の昇降をガイドする連動プレートガイド８５からなる。前記連動プレート８３には図示されていない他の鎌が固定され、前記内外の操作レバー８０、８１の昇降動作に連動して上下の鎌８４等が昇降され、前記受け８Ａ、８Ａと鎌８４等との係合操作がされるようになっている。なお、前記網戸キャッチ８の鎌８４及び前記受け８Ａは、前記上下レール４１、４２が形成する平面内に略位置している。
【００３４】
以上のように構成された網戸装置１では、次のように効果を奏する。
１．前記隙間Ｇ（図１２参照）が形成されているので、カセット式の網戸収納ケース５の着脱等が容易に行えてメンテナンス等の必要性を満たしつつ、虫除け材９により前記隙間Ｇを塞ぐことができるので、防虫効果が発揮される。
２．開閉幕される前記網目部材７の上下端７０、７１は、前記上下レール４１、４２と前記気密材取付ヒレ４８間に位置されるので、室外側からの強い風圧に対して、網目部材７の上下端７０、７１が前記上下レール４１、４２を乗り越えて捲れることもなく、また気密材取付ヒレ４８の室外側側面に接することとなる。よって網目部材７の上下端７０、７１が前記上下レール４１、４２に捲れたまま開閉幕されることもなく、その保護を図ることができる。
３．一方、室内側からの風圧に対して、網目部材７の上下端７０、７１が前記上下レール４１、４２に接するように柔軟に対応させることができ、その保護を図ることができる。
４．虫除け材９の下対向部９１と上対向部９２が網目部材７の上下端７０、７１に突き合さる位置にあるので、防虫効果及び対風圧対策とすることができる。
５．虫除け材９の下対向部９１と上対向部９２をそれぞれ複数本にした場合には、風圧による前記網目部材７の上下端７０、７１の移動変位に、複数本の下対向部９１と上対向部９２が対処できるため、風圧対策と虫除け材９による防虫対策をより効果的に両立させることができる。
６．前記網戸キャッチ８と受け８Ａは、通常は係合状態が維持されているので、使い勝手が良い網戸装置となっている。
【００３５】
上記実施形態は、テラスタイプの窓について使用する網戸装置の構成例を説明したが窓の構成はスライディング形式であればどのようなものでよい。例えば片引きタイプの窓でもよい。その他、窓に限定されるものでもなく、玄関等の建物の開口部にも取付けることができる。
前記障子かまちに対向する窓枠に配置される網戸収納部は、カセット式のように窓枠と別体のものでもよし、窓枠と一体のものでもよい。
前記移動かまちは障子かまちの移動に追随可能であって、移動かまちのみを走行させてもよい。
前記網戸装置は、ロール網戸には限定されず、その他、プリーツ状の網目部材のものや、ロールスクリーン等でもよい。
【図面の簡単な説明】
【００３６】
【図１】引違障子の外障子を取付けたサッシ枠に固定された実施形態に係る開放補助装置受金具の横断面図及び縦断面図、
【図２】引違障子の内障子を取付けたサッシ枠に固定された実施形態に係る開放補助装置受金具の横断面図及び縦断面図、
【図３】図１に示した同金具の斜視図、
【図４】図１に示した同金具の斜視図、
【図５】図２に示した同金具の斜視図、
【図６】図２に示した同金具の斜視図、
【図７】図１に示した障子開放補助装置の分解斜視図、
【図８】網戸装置を取付けたテラスタイプ窓の正面図、
【図９】外障子を開放した換気状態の正面図、
【図１０】内障子を開放した換気状態の正面図、
【図１１】図８に対応する横断面図、
【図１２】同縦断面図、
【図１３】虫除け材の詳細な説明図、
【図１４】同詳細な説明図、
【図１５】別例の虫除け材の詳細な説明図、
【図１６】同詳細な説明図、
【図１７】網戸装置を構成する網戸キャッチとその受けの断面図、
【図１８】同網戸キャッチの要部断面図である。
【符号の説明】
【００３７】
１  網戸装置                            ２、３  内外障子
１０  開放補助装置受金具
１０ａ  見込カバー面                    １０ｂ  見付カバー面
１０ｃ  外力受面
１０ｄ  補強部辺
１０ｅ  塞ぎ穴
１１  障子開放補助装置
１１Ａ  補強台座                        １１Ｂ  台座カバー
１１Ｃ  ハンドル部                      １１ｂ  開口
１１Ｄ  押出部
２０、３０  障子かまち（たて框）        ４  窓枠（サッシ枠）
５  網戸収納ケース
６  移動かまち
７  網目部材                            ８  網戸キャッチ
９  虫除け材
４０  対向面
４１、４２  上下レール
４３、４４  上下枠                      ４５  たて枠
４８Ａ、４８Ｂ  気密材取付ヒレ
４８ａ  見込面
４８ｂ  見付面
４８ｃ  気密材取付溝
４３０  取付溝
５０１  出没口
６００  取付部                          ６０２  框対向部
７０、７１  網目部材の上下端
７２  プレート
８０、８１  内外の操作レバー
８００、８１０  脚部
８２  キャッチ本体  ８３  連動プレート
８４  鎌
８５  連動プレートガイド
９０  圧入部
９１  下対向部
９２  上対向部
【図１】
2010077635.tif 000003
【図２】
2010077635.tif 000004
【図３】
2010077635.tif 000005
【図４】
2010077635.tif 000006
【図５】
2010077635.tif 000007
【図６】
2010077635.tif 000008
【図７】
2010077635.tif 000009
【図８】
2010077635.tif 000010
【図９】
2010077635.tif 000011
【図１０】
2010077635.tif 000012
【図１１】
2010077635.tif 000013
【図１２】
2010077635.tif 000014
【図１３】
2010077635.tif 000015
【図１４】
2010077635.tif 000016
【図１５】
2010077635.tif 000017
【図１６】
2010077635.tif 000018
【図１７】
2010077635.tif 000019
【図１８】
2010077635.tif 000020